(57)【要約】【課題】読み取り画像におけるエッジ影の発生を抑制できる画像読取装置、及び該画像読取装置を備える画像形成装置を提供すること。【解決手段】画像読取装置３００は、複数の第１発光部材５０１と複数の第２発光部材５０２とを有する発光部と、主走査方向Ｙに複数配置され、第１発光部材５０１側に配置される複数の第１入光部４００Ａと原稿Ｇ側に配置される１又は複数の第１出光部４１０Ａとを有し、第１出光部４１０Ａからの光が副走査方向Ｘにおける一方側から原稿Ｇに照射される複数の第１導光部５０６と、主走査方向Ｙに複数配置され、隣り合う複数の第１導光部５０６の間に配置され、第２発光部材５０２側に配置される複数の第２入光部４００Ｂと原稿Ｇ側に配置される１又は複数の第２出光部４１０Ｂとを有し、第２出光部４１０Ｂからの光が副走査方向Ｘにおける他方側から原稿Ｇに照射される複数の第２導光部５０７と、を有する導光体５０５を備える。【選択図】図４
2010199639.tif 000002
【特許請求の範囲】
【請求項１】
複数の第１発光部材と複数の第２発光部材とを有し原稿に照射させる光を発光する発光部と、
主走査方向に複数配置され、前記第１発光部材側に配置される複数の第１入光部と前記原稿側に配置される１又は複数の第１出光部とを有し、前記第１出光部からの光が副走査方向における一方側から前記原稿に照射される複数の第１導光部と、主走査方向に複数配置され、隣り合う複数の前記第１導光部の間に配置され、前記第２発光部材側に配置される複数の第２入光部と前記原稿側に配置される１又は複数の第２出光部とを有し、前記第２出光部からの光が副走査方向における他方側から前記原稿に照射される複数の第２導光部と、を有する導光体と、
前記原稿からの光束を反射させて光路を形成する１又は複数のミラーと、
前記１又は複数のミラーにより反射された光束を結像させる結像レンズと、
前記結像レンズの結像位置に配置され、前記結像レンズによる結像に基づいて前記原稿の画像を読み取る読取部と、を備える
画像読取装置。
【請求項２】
前記第１導光部は、前記第１入光部と前記第１出光部との間に、前記第１導光部が屈曲する屈曲部と、前記第１入光部から前記屈曲部まで前記副走査方向に延びる水平部と、前記屈曲部から前記第１出光部まで原稿側に傾斜して延びる傾斜部と、を有する
請求項１に記載の画像読取装置。
【請求項３】
前記水平部は、前記原稿側に形成される水平部上面と、前記原稿側とは反対側に形成される水平部下面と、を有し、
前記傾斜部は、前記水平部上面から前記原稿側に延びる傾斜部上面と、前記水平部下面から前記原稿側に延びる傾斜部下面と、を有する
請求項２に記載の画像読取装置。
【請求項４】
前記第１出光部又は前記第２出光部に対応して配置され、前記第１出光部又は前記第２出光部からの光を前記原稿側に反射させる反射部材と、を備える
請求項１から３のいずれかに記載の画像読取装置。
【請求項５】
前記第１導光部と前記第２導光部は、それぞれ別体で構成され、
複数の前記第１導光部は、複数の前記第１入光部と、複数の前記第１入光部それぞれに対応する複数の前記第１出光部とを有し、
複数の前記第２導光部は、複数の前記第２入光部と、複数の前記第２入光部それぞれに対応する複数の前記第２出光部とを有する
請求項１に記載の画像読取装置。
【請求項６】
隣り合う前記第１導光部と前記第２導光部は、前記主走査方向に一体的に形成されている
請求項１に記載の画像読取装置。
【請求項７】
隣り合う前記第１導光部と前記第２導光部は、隣り合う前記第１入光部と前記第２入光部において前記主走査方向に離間して配置される
請求項１又は６に記載の画像読取装置。
【請求項８】
前記第１導光部は、前記第１出光部において前記主走査方向に同一面が形成されるように一体的に構成されており、
前記第２導光部は、前記第２出光部において前記主走査方向に同一面が形成されるように一体的に構成される
請求項１、６又は７に記載の画像読取装置。
【請求項９】
前記第１導光部と前記第２導光部とは、交互に配置される
請求項１から８のいずれかに記載の画像読取装置。
【請求項１０】
前記第１発光部材及び前記第２発光部材それぞれにおける発光量を別々に制御する発光制御部と、を備える
請求項１から９のいずれかに記載の画像読取装置。
【請求項１１】
前記発光制御部は、前記第１発光部材及び前記第２発光部材への供給電圧を変更させることにより発光量の制御を行う
請求項１０に記載の画像読取装置。
【請求項１２】
請求項１から１１のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び画像読取装置を備える画像形成装置に関する。
【背景技術】
【０００２】
従来、原稿の画像を読み取る画像読取装置として、原稿に光を照射する照明部と、原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている。
【０００３】
近年、照明部を構成する発光部として、蛍光灯やキセノン管等の管状の発光部材以外にも、ＬＥＤ（Ｌｉｇｈｔ―Ｅｍｉｔｔｉｎｇ  Ｄｉｏｄｅ）等の発光素子が用いられている。例えば、複数のＬＥＤを主走査方向に配列することで照明部を構成した画像読取装置が知られている。
【０００４】
また、一方向のみから光を照射した場合に生じる原稿の厚みに起因するエッジ影の発生を抑制するため、複数のＬＥＤからの光を反射板に反射させて、発光部からの直接光とは異なる方向から原稿に光を照射する画像読取装置が知られている。例えば、複数のＬＥＤを主走査方向に配列すると共に、所定位置に２つの反射板を設けることにより１つの光源としての複数のＬＥＤからの光を２つに分離して、光を副走査方向における一方側と他方側との双方から原稿に照射させるように構成した画像読取装置が提案されている（例えば、特許文献１参照）。
【先行技術文献】
【特許文献】
【０００５】
【特許文献１】特開２００８−２０９８７９号公報
【発明の概要】
【発明が解決しようとする課題】
【０００６】
しかし、特許文献１の画像読取装置のように、１つの光源としての複数のＬＥＤからの光を副走査方向における一方側と他方側との双方から原稿に照射させるように構成した場合、副走査方向における一方側と他方側との光の調整ができないので、原稿の厚みによっては、エッジ影が発生する場合があった。
【０００７】
本発明は、読み取り画像におけるエッジ影の発生を抑制できる画像読取装置を提供することを目的とする。
また、本発明は、該画像読取装置を備える画像形成装置を提供することを目的とする。
【課題を解決するための手段】
【０００８】
本発明は、複数の第１発光部材と複数の第２発光部材とを有し原稿に照射させる光を発光する発光部と、主走査方向に複数配置され、前記第１発光部材側に配置される複数の第１入光部と前記原稿側に配置される１又は複数の第１出光部とを有し、前記第１出光部からの光が副走査方向における一方側から前記原稿に照射される複数の第１導光部と、主走査方向に複数配置され、隣り合う複数の前記第１導光部の間に配置され、前記第２発光部材側に配置される複数の第２入光部と前記原稿側に配置される１又は複数の第２出光部とを有し、前記第２出光部からの光が副走査方向における他方側から前記原稿に照射される複数の第２導光部と、を有する導光体と、前記原稿からの光束を反射させて光路を形成する１又は複数のミラーと、前記１又は複数のミラーにより反射された光束を結像させる結像レンズと、前記結像レンズの結像位置に配置され、前記結像レンズによる結像に基づいて前記原稿の画像を読み取る読取部と、を備える画像読取装置に関する。
【０００９】
また、前記第１導光部は、前記第１入光部と前記第１出光部との間に、前記第１導光部が屈曲する屈曲部と、前記第１入光部から前記屈曲部まで前記副走査方向に延びる水平部と、前記屈曲部から前記第１出光部まで原稿側に傾斜して延びる傾斜部と、を有することが好ましい。
【００１０】
また、前記水平部は、前記原稿側に形成される水平部上面と、前記原稿側とは反対側に形成される水平部下面と、を有し、前記傾斜部は、前記水平部上面から前記原稿側に延びる傾斜部上面と、前記水平部下面から前記原稿側に延びる傾斜部下面と、を有することが好ましい。
【００１１】
また、前記第１出光部又は前記第２出光部に対応して配置され、前記第１出光部又は前記第２出光部からの光を前記原稿側に反射させる反射部材と、を備えることが好ましい。
【００１２】
また、前記第１導光部と前記第２導光部は、それぞれ別体で構成され、複数の前記第１導光部は、複数の前記第１入光部と、複数の前記第１入光部それぞれに対応する複数の前記第１出光部とを有し、複数の前記第２導光部は、複数の前記第２入光部と、複数の前記第２入光部それぞれに対応する複数の前記第２出光部とを有することが好ましい。
【００１３】
また、隣り合う前記第１導光部と前記第２導光部は、前記主走査方向に一体的に形成されていることが好ましい。
【００１４】
また、隣り合う前記第１導光部と前記第２導光部は、隣り合う前記第１入光部と前記第２入光部において前記主走査方向に離間して配置されることが好ましい。
【００１５】
また、前記第１導光部は、前記第１出光部において前記主走査方向に同一面が形成されるように一体的に構成されており、前記第２導光部は、前記第２出光部において前記主走査方向に同一面が形成されるように一体的に構成されることが好ましい。
【００１６】
また、前記第１導光部と前記第２導光部とは、交互に配置されることが好ましい。
【００１７】
また、前記第１発光部材及び前記第２発光部材それぞれにおける発光量を別々に制御する発光制御部とを備えることが好ましい。
【００１８】
また、前記発光制御部は、前記第１発光部材及び前記第２発光部材への供給電圧を変更させることにより発光量の制御を行うことが好ましい。
【００１９】
本発明は、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００２０】
本発明によれば、読み取り画像におけるエッジ影の発生を抑制できる画像読取装置を提供することができる。
また、本発明によれば、該画像読取装置を備える画像形成装置を提供することができる。
【図面の簡単な説明】
【００２１】
【図１】コピー機１の各構成要素の配置を説明するための図である。
【図２】第１実施形態の画像読取装置３００の読取部３０１の内部構造を示す概略平面図である。
【図３】図２に示す画像読取装置３００を矢印Ｓ方向から見た図である。
【図４】図３に示す画像読取装置３００の部分拡大図である。
【図５】図４に示す導光体５０５を説明する部分拡大図である。
【図６】図４に示すＬＥＤユニット５０３の斜視図である。
【図７】図４に示す導光体５０５を読取面３０２Ａ側から見た図である。
【図８Ａ】図７に示す導光体５０５におけるＡ１−Ａ１線断面図である。
【図８Ｂ】図７に示す導光体５０５におけるＢ１−Ｂ１線断面図である。
【図９】ＬＥＤユニット５０３の発光を制御する発光制御部４５０を含むブロック図である。
【図１０】第２実施形態における導光体６０５を説明する部分拡大図である。
【図１１】図１０に示す導光体６０５を読取面３０２Ａ側から見た図である。
【図１２Ａ】図１１に示す導光体６０５におけるＡ２−Ａ２線断面図である。
【図１２Ｂ】図１１に示す導光体６０５におけるＢ２−Ｂ２線断面図である。
【図１２Ｃ】図１１に示す導光体６０５におけるＣ２−Ｃ２線断面図である。
【図１３】第３実施形態における導光体７０５を説明する部分拡大図である。
【図１４】図１３に示す導光体７０５を読取面３０２Ａ側から見た図である。
【図１５Ａ】図１４に示す導光体７０５におけるＡ３−Ａ３線断面図である。
【図１５Ｂ】図１４に示す導光体７０５におけるＢ３−Ｂ３線断面図である。
【図１５Ｃ】図１４に示す導光体７０５におけるＣ３−Ｃ３線断面図である。
【発明を実施するための形態】
【００２２】
以下、図面を参照して、本発明の実施形態を説明する。
まず、図１から図９により、本発明の第１実施形態について説明する。
図１により、本実施形態における画像形成装置としてのコピー機１における全体構造を説明する。図１は、コピー機１の各構成要素の配置を説明するための図である。
【００２３】
図１に示すように、画像形成装置としてのコピー機１は、コピー機１における上方側に配置される画像読取装置３００と、コピー機１における下方側に配置され画像読取装置３００からの画像情報に基づいてシート状の被転写材としての用紙Ｔにトナー画像を形成する装置本体Ｍと、を備える。
【００２４】
画像読取装置３００について説明する。
図１に示すように、画像読取装置３００は、蓋部材７０と、原稿Ｇの画像を読み込む読取部３０１と、を備える。
蓋部材７０は、読取部３０１に対して不図示の連結部により開閉可能に連結される。蓋部材７０は、後述する読取面３０２Ａを保護する機能を有する。
【００２５】
読取部３０１は、読取面３０２Ａと、内部空間３０４に配置される光源を含む照明部３４０と、複数のミラー３２１、３２２及び３２３と、読取面３０２Ａと平行な方向に移動する第１枠体３１１及び第２枠体３１２と、結像レンズ３５７と、読取手段としてのＣＣＤ３５８と、ＣＣＤ３５８により読み取られた画像データに対して所定の処理をすると共に該画像データを装置本体Ｍ側に出力させるＣＣＤ基板３６１と、を備える。
【００２６】
読取面３０２Ａは、原稿Ｇが載置されるコンタクトガラス３０２の垂直方向上面に沿って形成される。
上述の照明部３４０及びミラー３２１は、第１枠体３１１に収容される。また、ミラー３２２及び３２３は、第２枠体３１２に収容される。
【００２７】
読取部３０１の内部空間３０４において、複数のミラー３２１、３２２及び３２３は、原稿Ｇからの光を結像レンズ３５７に入光させるための光路Ｈを形成する。また、第１枠体３１１が副走査方向Ｘに一定速度Ａで移動すると共に、第２枠体３１２が副走査方向Ｘに一定速度Ａ／２で移動するため、画像読み取り動作時においても、光路Ｈの長さは一定に維持される。これにより、読取面３０２Ａに載置された原稿Ｇの画像が読み取られる。
【００２８】
装置本体Ｍについて説明する。
装置本体Ｍは、所定の画像情報に基づいて用紙Ｔに所定のトナー画像を形成する画像形成部と、用紙Ｔを画像形成部に給紙すると共にトナー画像が形成された用紙Ｔを排紙する給排紙部とを有する。
【００２９】
図１に示すように、画像形成部は、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対抗ローラ１８と、定着部９と、を備える。
【００３０】
図１に示すように、給排紙部は、給紙カセット５２と、手差し給紙部６４と、用紙Ｔの搬送路Ｌと、レジストローラ対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、後処理搬送路Ｌｃとの集合体である。
【００３１】
以下、画像形成部及び給排紙部の各構成について詳細に説明する。
まず、画像形成部について説明する。
画像形成部においては、感光体ドラム２ａ、２ｂ、２ｃ、２ｄそれぞれの表面に対して、上流側から下流側に順に、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部においては、中間転写ベルト７、２次転写ローラ８及び対抗ローラ１８による２次転写、並びに定着部９による定着が行われる。
【００３２】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる機軸を中心に矢印の方向に回転可能に配置される。感光体ドラム２ａ、２ｂ、２ｃ、２ｄそれぞれにおける表面には、静電潜像が形成される。
【００３３】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３４】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００３５】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄそれぞれの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００３６】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄに形成された静電潜像に各色のトナーを付着させて、カラーのトナー画像を現像する（感光体ドラムの表面にトナー画像を形成する）。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄの表面に対向配置可能な現像ローラ、トナー攪拌用の攪拌ローラ等を有して構成される。
【００３７】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３８】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００３９】
中間転写ベルト７には、感光体ドラム２ａ、２ｂ、２ｃ、２ｄに現像された各色のトナー画像が順次転写される。中間転写ベルト７は、従動ローラ３５、駆動ローラからなる対抗ローラ１８、テンションローラ３６等に掛け渡される。テンションローラ３６が中間転写ベルト７を内側から外側に付勢するため、中間転写ベルト７には所定の張力が与えられる。
【００４０】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置される。
【００４１】
１次転写ローラ３７ａ、３７ｂ、３７ｃ、３７ｄそれぞれと、感光体ドラム２ａ、２ｂ、２ｃ、２ｄそれぞれとの間で、中間転写ベルト７における所定部分が挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００４２】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００４３】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４４】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナーを所定の回収機構へ搬送させて、回収させる。
【００４５】
２次転写ローラ８は、中間転写ベルト７に１次転写されたトナー画像を用紙Ｔに２次転写させる。２次転写ローラ８には、不図示の電圧印加手段により、中間転写ベルト７に形成されたトナー画像を用紙Ｔに転写させるための２次転写バイアスが印加される。
【００４６】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。
【００４７】
中間転写ベルト７における２次転写ローラ８に対向する側には、対抗ローラ１８が配置される。中間転写ベルト７における所定部分は、２次転写ローラ８と対抗ローラ１８とによって挟み込まれる。そして、用紙Ｔは中間転写ベルト７の外面（トナー画像が１次転写された面）に押し当てられる。２次転写ローラ８と対抗ローラ１８との間で２次転写ニップＮ２が形成される。２次転写ニップＮ２において、中間転写ベルト７に１次転写されたトナー画像が用紙Ｔに２次転写される。
【００４８】
定着部９は、用紙Ｔに２次転写されたトナー画像を構成する各色トナーを溶融して用紙Ｔに定着させる。定着部９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように用紙Ｔが搬送されることで、用紙Ｔに転写されたトナーは、溶融し、用紙Ｔに定着される。
【００４９】
次に、給排紙部について説明する。
図１に示すように、装置本体Ｍの下部には、用紙Ｔを収容する２個の給紙カセット５２が上下に配列されて配置される。給紙カセット５２は、装置本体Ｍの筐体から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３からなる重送防止機構を備える。
【００５０】
装置本体Ｍの右側面（図１において右側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置される。手差し給紙部６４は、開状態の手差しトレイ６５に載置された用紙Ｔを手差し搬送路Ｌａに給紙する。
【００５１】
装置本体Ｍにおける上方側には、第１排紙部５０ａ及び第２排紙部５０ｂが設けられる。第１排紙部５０ａ及び第２排紙部５０ｂは、用紙Ｔを装置本体Ｍの外部に排紙する。第１排紙部５０ａ及び第２排紙部５０ｂの詳細については後述する。
【００５２】
用紙Ｔを搬送する搬送路Ｌは、カセット給紙部５１から２次転写ローラ８までの第１搬送路Ｌ１と、２次転写ローラ８から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第３搬送路Ｌ３を上流側から下流側へ搬送する用紙を後処理装置（図示せず）に搬送する後処理搬送路Ｌｃとを備える。
【００５３】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、後処理搬送路Ｌｃが第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう後処理搬送路Ｌｃに整流させる（切り換える）。
【００５４】
第１搬送路Ｌ１の途中（詳細には、第２合流部Ｐ２と２次転写ローラ８との間）には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００５５】
戻し搬送路Ｌｂは、用紙Ｔの両面印刷を行う際に、既に印刷されている面とは反対面（非印刷面）を感光体ドラム２に対向させるために設けられる搬送路である。戻し搬送路Ｌｂによれば、第１分岐部Ｑ１から排紙部５０側に搬送された用紙Ｔを表裏反転させて第１搬送路Ｌ１に戻して、２次転写ローラ８の上流側に配置されたレジストローラ対８０の上流側に搬送させることができる。戻し搬送路Ｌｂにより表裏反転された用紙Ｔには、感光体ドラム２により非印刷面に対して所定のトナー画像が転写される。
【００５６】
第３搬送路Ｌ３における端部には、第１排紙部５０ａが形成される。第１排紙部５０ａは、装置本体Ｍにおける上方側に配置される。第１排紙部５０ａは、装置本体Ｍの右側面側（図１において右側、手差し給紙部６４側）に向けて開口している。第１排紙部５０ａは、第３搬送路Ｌ３を搬送される用紙Ｔを装置本体Ｍの外部に排紙する。
【００５７】
第１排紙部５０ａにおける開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定のトナー画像が転写され第１排紙部５０ａから排紙された用紙Ｔが積層して集積される。
【００５８】
後処理搬送路Ｌｃにおける端部には、第２排紙部５０ｂが形成される。第２排紙部５０ｂは、装置本体Ｍにおける上方側に配置される。第２排紙部５０ｂは、装置本体Ｍの左側面側（図１において左側、後処理装置が連結される側）に向けて開口している。第２排紙部５０ｂは、後処理搬送路Ｌｃを搬送される用紙Ｔを装置本体Ｍの外部に排紙する。
第２排紙部５０ｂにおける開口側には、後処理装置（図示せず）が連結される。後処理装置は、画像形成装置（コピー機１）から排出される用紙の後処理（ステープル、パンチ等）を行うものである。
なお、各搬送路の所定位置には用紙検出用のセンサが配置される。
【００５９】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、装置本体Ｍの左側面側（図１において左側）には、主搬送路Ｌ１〜Ｌ３及び戻り搬送路Ｌｂが主に上下方向に延びるように並列している。装置本体Ｍの左側面側（図１において左側）には、装置本体Ｍの側面の一部を形成するように、カバー体４０が設けられている。カバー体４０は、その下端部において、支点軸４３を介して装置本体Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００６０】
カバー体４０は、支点軸４３によって装置本体Ｍに回動自在に連結された第１のカバー部４１と、同じ支点軸４３によって装置本体Ｍに回動自在に連結された第２のカバー部４２とから構成されている。第１のカバー部４１は、第２のカバー部４２よりも装置本体Ｍの外側（側面側）に位置する。なお、図１において、左下がりの破線でハッチングされた部分が第１のカバー部４１であり、右下がりの破線でハッチングされた部分が第２のカバー部４２である。
【００６１】
カバー体４０が閉位置に位置する状態において、第１のカバー部４１は、その外面側が装置本体Ｍの外面（側面）の一部を形成している。
また、カバー体４０が閉位置に位置する状態において、第２のカバー部４２は、その内面側（装置本体Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００６２】
本実施形態のコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を装置本体Ｍ側（図１において右側）に回動させて戻り搬送路Ｌｂを開放することにより、戻り搬送路Ｌｂに詰まった用紙を処理することができる。
【００６３】
次いで、図２から図９により、画像読取装置３００を構成する読取部３０１について説明する。
図２は、第１実施形態の画像読取装置３００の読取部３０１の内部構造を示す概略平面図である。図３は、図２に示す画像読取装置３００を矢印Ｓ方向から見た図である。図４は、図３に示す画像読取装置３００の部分拡大図である。図５は、図４に示す導光体５０５を説明する部分拡大図である。図６は、図４に示すＬＥＤユニット５０３の斜視図である。図７は、図４に示す導光体５０５を読取面３０２Ａ側から見た図である。図８Ａは、図７に示す導光体５０５におけるＡ１−Ａ１線断面図である。図８Ｂは、図７に示す導光体５０５におけるＢ１−Ｂ１線断面図である。図９は、ＬＥＤユニット５０３の発光を制御する発光制御部４５０を含むブロック図である。
【００６４】
図２及び図３に示すように、読取部３０１は、原稿Ｇが載置されるコンタクトガラス３３５と、一対の案内レール３４５と、駆動プーリ３５１が取り付けられた駆動軸３５０と、従動プーリ３５２が取り付けられた支軸３５３と、照明手段としての照明ユニット３４７と、ミラーユニット３４９と、結像レンズ３５７と、読取手段としてのＣＣＤ３５８と、光学センサ３６２と、を備える。
【００６５】
図２に示すように、読取部３０１は、上面（図２における手前側）に配置され原稿Ｇが載置されるコンタクトガラス３３５を有する。コンタクトガラス３３５は、コピー機１が通常の状態で配置された場合、水平面と略平行に配置される。
【００６６】
図２に示すように、一対の案内レール３４５は、読取部３０１における側面３０６ａ、３０６ｂ（図２における左右）同士の間に配置される。一対の案内レール３４５は、上述のコンタクトガラス３３５（図３参照）と平行に設置される。一対の案内レール３４５上には、照明ユニット３４７及びミラーユニット３４９が移動可能に載置される。
【００６７】
図２に示すように、駆動軸３５０は、側面３０６ａ側に案内レール３４５と直交するように配置される。駆動軸３５０は、不図示の駆動モータにより正転駆動され、又は逆転駆動される。駆動軸３５０の両端であって案内レール３４５よりも主走査方向Ｙの外側には、大径部及び小径部を有する駆動プーリ３５１が取り付けられる。
【００６８】
図２に示すように、支軸３５３は、側面３０６ｂ側に案内レール３４５と直交するように配置される。支軸３５３の両端であって案内レール３４５よりも主走査方向Ｙの外側には、駆動プーリ３５１と同一径の従動プーリ３５２が取り付けられる。
【００６９】
駆動プーリ３５１及び従動プーリ３５２の大径部には、駆動用ワイヤー３５４ａが掛け渡される。そして、駆動用ワイヤー３５４ａには、照明ユニット３４７が固定される。
また、駆動プーリ３５１及び従動プーリ３５２の小径部には、駆動用ワイヤー３５４ｂが掛け渡される。そして、駆動用ワイヤー３５４ｂには、ミラーユニット３４９が固定される。
【００７０】
駆動軸３５０が駆動モータによって回転されることで、駆動用ワイヤー３５４ａ、３５４ｂは回動される。駆動用ワイヤー３５４ａ、３５４ｂが回動されることで、照明ユニット３４７及びミラーユニット３４９は、案内レール３４５に沿って副走査方向Ｘ（図２及び図３における左右方向）に移動される。駆動プーリ３５１及び従動プーリ３５２における大径部と小径部との径比は２：１である。そのため、照明ユニット３４７とミラーユニット３４９との移動距離の比は２：１となる。
【００７１】
なお、本実施形態においては、大径部及び小径部を有する駆動プーリ３５１及び従動プーリ３５２を利用して、照明ユニット３４７とミラーユニット３４９との移動距離の比が２：１となる構成を実現しているが、これに制限されない。例えば、ミラーユニット３４９に動滑車を設け、照明ユニット３４７を駆動用ワイヤーなどに固定して設けることにより、動滑車の原理を利用して、照明ユニット３４７とミラーユニット３４９との移動距離の比が２：１となる構成を実現することもできる。
【００７２】
ここで、照明ユニット３４７及びミラーユニット３４９における案内レール３４５の上面と接する部分には、接触子３５５がそれぞれ２個ずつ設けられる。各接触子３５５の案内レール３４５との接触面は球面状となっている。これにより、照明ユニット３４７及びミラーユニット３４９は、副走査方向Ｘへスムーズに移動される。
【００７３】
図２に示すように、読取部３０１の底面における側面３０６ａ側には、結像レンズ３５７、ＣＣＤ３５８等を支持する部材であるＩＳＵベース３５６が取り付けられる。ＩＳＵベース３５６の上面には、結像レンズ３５７と、読取手段としてのＣＣＤ３５８が所定の位置関係で取り付けられる。
【００７４】
図２に示すように、結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の副走査方向Ｘにおける略中央に配置される。結像レンズ３５７は、光路Ｈ（図３参照）における原稿Ｇ側と反対の端部側に配置される。結像レンズ３５７は、入射された光束Ｈ４（図３参照）を所定位置において結像させる。つまり、結像レンズ３５７は、原稿Ｇの画像を所定位置において結像させる。
【００７５】
図２に示すように、ＣＣＤ３５８は、ガイド部材３６０の背面に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通ってＣＣＤ３５８に入射される。ＣＣＤ３５８に入射される光束における光軸は、ガイド部材３６０の位置を微調整することにより補正される。
【００７６】
光学センサ３６２は、ＩＳＵベース３５６上に配置される。光学センサ３６２は、コンタクトガラス３３５上に載置された原稿Ｇからの反射光を受光するか否かによって原稿のサイズ（図２の左右方向）を検知する。
【００７７】
図４に示すように、照明ユニット３４７は、照明部３４０、第１ミラー３２１及び第１ミラー３２１を収容する第１枠体３１１と、を備える。
【００７８】
照明部３４０は、発光部としての複数の第１ＬＥＤ５０１及び複数の第２ＬＥＤ５０２が取り付けられたＬＥＤユニット５０３と、複数のＬＥＤ５０１に近接又は当接して配置される導光体５０５とを有する。導光体５０５は、複数のＬＥＤ５０１からの光を原稿Ｇ側へ導く導光部を形成する。照明部３４０については、後に詳述する。
【００７９】
第１ミラー３２１は、照明ユニット３４７における厚さ方向Ｚにおける下方側に配置される。第１ミラー３２１は、反射面が原稿Ｇ及び第２ミラー３２２側に向くように配置される。第１ミラー３２１は、原稿からの光束Ｈ１を第２ミラー３２２に反射させる。
【００８０】
第１枠体３１１は、駆動プーリ３５１及び従動プーリ３５２（図２参照）の大径部に掛け渡される駆動用ワイヤー３５４ａ（図２参照）に固定される。駆動用ワイヤー３５４ａ、３５４ｂが回動されることで、第１枠体３１１は、案内レール３４５に沿って副走査方向Ｘに移動される。
【００８１】
図３に示すように、ミラーユニット３４９は、第２ミラー３２２と、第３ミラー３２３と、第２ミラー３２２と第３ミラー３２３とを収容する第２枠体３１２と、を備える。
【００８２】
第２ミラー３２２は、第２枠体３１２の厚さ方向Ｚにおける上方側に配置される。第２ミラー３２２は、反射面が第１ミラー３２１及び第３ミラー３２３側を向くように配置される。第２ミラー３２２は、第１ミラー３２１からの光束Ｈ２を第３ミラー３２３側に反射させる。
【００８３】
第３ミラー３２３は、第２枠体３１２の厚さ方向Ｚにおける下方側に配置される。第３ミラー３２３は、反射面が第２ミラー３２２及び結像レンズ３５７側を向くように配置される。第３ミラー３２３は、第２ミラー３２２からの光束Ｈ３を結像レンズ３５７側に反射させる。
【００８４】
図４から図８Ｃにより、照明部３４０について詳述する。
図４に示すように、照明部３４０は、コンタクトガラス３３５に対して読取面３０２Ａと反対側に配置される。照明部３４０は、複数の第１発光部材としての第１ＬＥＤ５０１及び複数の第２発光部材としての第２ＬＥＤ５０２が取り付けられたＬＥＤユニット５０３と、複数の第１導光部５０６及び複数の第２導光部５０７を有する導光体５０５と、第１導光部５０６から出光される光を原稿に照射させる反射ミラー５４１と、上記ＬＥＤユニット５０３、導光体５０５、及び反射ミラー５４１が取り付けられる取り付け部材５１０と、を備える。
【００８５】
図５及び図６に示すように、複数の第１ＬＥＤ５０１、複数の第２ＬＥＤ５０２それぞれは、互いに離間して交互に板状の回路基板５０４に取り付けられる。複数の第１ＬＥＤ５０１と複数の第２ＬＥＤ５０２とは、主走査方向Ｙに所定間隔で直線状に配置される。複数の第１ＬＥＤ５０１、複数の第２ＬＥＤ５０２それぞれは、回路基板５０４を介して金属製で高剛性の取り付け部材５１０（図４参照）に取り付けられる。複数の第１ＬＥＤ５０１、複数の第２ＬＥＤ５０２それぞれは、原稿Ｇに照射される光を発光する。複数の第１ＬＥＤ５０１、複数の第２ＬＥＤ５０２それぞれから発光される光は、導光体５０５に導かれることにより原稿Ｇに照射される。
【００８６】
図７に示すように、導光体５０５は、複数の第１導光部５０６と、複数の第２導光部５０７とを有する。第１導光部５０６、第２導光部５０７それぞれは、それぞれ別体の部材により形成される。第１導光部５０６、第２導光部５０７それぞれは、主走査方向Ｙにおいて薄い部材であると共に、副走査方向Ｘに長い部材である。第１導光部５０６と第２導光部５０７とは、主走査方向Ｙに交互に連続して積層するように配置される。
【００８７】
複数の第１導光部５０６それぞれは、主走査方向Ｙに互いに離間して配置される。また、複数の第２導光部５０７それぞれは、隣り合う第１導光部５０６同士の間に配置される。本実施形態においては、導光体５０５は、複数の第１導光部５０６と複数の第２導光部５０７それぞれが、主走査方向Ｙにおける端部において互いに接着剤等により接合されることにより構成される。
【００８８】
図８Ａに示すように、第１導光部５０６は、一端５０６ａが複数の第１ＬＥＤ５０１側を向き、他端５０６ｂがコンタクトガラス３３５側（図４参照）に向くように配置される。第１導光部５０６は、一端５０６ａ側に形成される複数の第１入光部４００Ａと、他端５０６ｂ側に形成される複数の第１出光部４１０Ａとを有する。複数の第１入光部４００Ａそれぞれは、複数の第１出光部４１０Ａそれぞれに対応する。複数の第１入光部４００Ａそれぞれから入光された光は、それぞれ別々の光束として対応する複数の第１導光部５０６それぞれに導光されて、対応する複数の第１出光部４１０Ａそれぞれから読取面３０２Ａ側（図４参照）に向けて出光される。複数の第１出光部４１０Ａそれぞれから出光された光は、主走査方向Ｙに拡散されながら読取面３０２Ａ（図４参照）において均一化される。
【００８９】
図８Ａに示すように、第１導光部５０６は、第１入光部４００Ａと第１出光部４１０Ａとの間に、第１導光部５０６が屈曲する屈曲部４１５を有する。第１導光部５０６は、第１入光部４００Ａから屈曲部４１５まで延びる水平部４１５Ａと、屈曲部４１５から第１出光部４１０Ａまで延びる傾斜部４１５Ｂと、を有する。
【００９０】
水平部４１５Ａは、副走査方向Ｘに延びるように形成される。傾斜部４１５Ｂは、屈曲部４１５を介して水平部４１５Ａに対して所定の角度をなして読取面３０２Ａ側（原稿Ｇ側）に屈曲する（傾斜して延びる）。第１導光部５０６は、水平部４１５Ａ及び傾斜部４１５Ｂが屈曲部４１５を介して連続することにより形成される。
【００９１】
第１導光部５０６は、第１ＬＥＤ５０１及び第２ＬＥＤ５０２から原稿Ｇまでの光路距離を確保すると共に、内部空間３０４を有効に利用することによる省スペース化（特に、照明ユニット３４７における厚さ方向Ｚの省スペース化）の実現のため、屈曲部４１５において屈曲する形状である（図４参照）。これは、第１ＬＥＤ５０１及び第２ＬＥＤ５０２から原稿Ｇまでの距離を確保することにより、原稿Ｇにおいて第１ＬＥＤ５０１及び第２ＬＥＤ５０２からの光を十分に拡散して光量ムラを抑制するためである。
【００９２】
図８Ａに示すように、第１導光部５０６は、第１導光部５０６の内部に形成され、第１入光部４００Ａに入光された光の不要な拡散を抑制して第１出光部４１０Ａから出光させるための反射面を有する。例えば、傾斜部４１５Ｂにおける反射面に反射される光はそれぞれの角度で屈折して読取面３０２Ａ側に導かれる。
【００９３】
図４及び図８Ａに示すように、第１出光部４１０Ａから出光する光束Ｈ０１は、第１導光部５０６の内面に形成される反射面により集光されて原稿Ｇ側に出光される。第１導光部５０６は、不要な拡散を抑制しながら第１入光部４００Ａに入光された光を原稿Ｇ側に導く。
第１導光部５０６における上面側（原稿Ｇ側）は、水平部４１５Ａ側の水平部上面４１３と、傾斜部４１５Ｂ側の傾斜部上面４１４とからなる。水平部上面４１３は、第１入光部４００Ａから前方側に向かって略水平に延びる面である。傾斜部上面４１４は、水平部上面４１３における前方側の端部から水平部上面４１３に対して所定角度を成して上向き（原稿Ｇ側）に延びるように形成された面である。
【００９４】
第１導光部５０６における下面側（原稿Ｇ側とは反対側）は、水平部４１５Ａ側の水平部下面４１９と、傾斜部４１５Ｂ側の傾斜部下面４２０と、からなる。水平部下面４１９は、第１入光部４００Ａから前方側に向かって水平部上面４１３に対して所定角度を成して下向き（原稿Ｇ側と反対側）に延びる面である。傾斜部下面４２０は、水平部下面４１９における前方側の端部から水平部上面４１３に対して所定角度を成して上向き（原稿Ｇ側）に延びるように形成された面である。
【００９５】
水平部上面４１３と水平部下面４１９とは、厚さ方向Ｚに所定の間隔に設定されている。水平部上面４１３、傾斜部上面４１４、水平部下面４１９、傾斜部下面４２０には、光の反射率を高める反射被膜が、必要に応じて、真空蒸着、スパッタリング等によって形成される。
【００９６】
第１入光部４００Ａは、水平部上面４１３及び水平部下面４１９に対して、略直交している。
第１出光部４１０Ａは、傾斜部上面４１４に対しては鈍角を成しており、傾斜部下面４２０に対しては鋭角を成している。これにより、第１出光部４１０Ａは、コンタクトガラス３３５と平行な面（原稿Ｇ）に対して、前方側を下向きとする方向に所定角度で傾斜して形成されている。
【００９７】
複数の第１入光部４００Ａそれぞれは、複数の第１ＬＥＤ５０１それぞれに対向して配置される。第１入光部４００Ａには、第１ＬＥＤ５０１からの光が第１導光部５０６の内部に向けて入光される。
【００９８】
第１出光部４１０Ａは、原稿Ｇに対向して配置される。第１出光部４１０Ａは、第１入光部４００Ａに入光された光を原稿Ｇ側に向けて出光させる。具体的には、第１出光部４１０Ａからは、第１入光部４００Ａに入光された光であって、反射面に反射された光が出光される。例えば、傾斜部下面４２０に反射される光は、それぞれの角度で屈折して原稿Ｇ側へ導かれる。第１出光部４１０Ａから出光される光Ｈ０１は、副走査方向Ｘにおける一方側から原稿Ｇに照射される。ここで、副走査方向Ｘにおける一方側とは、副走査方向Ｘにおいて光束Ｈ１を中心として導光体５０５側である（図４参照）。
【００９９】
図８Ｂに示すように、第２導光部５０７は、一端５０７ａが複数の第２ＬＥＤ５０２側を向き、他端５０７ｂが反射ミラー５４１側に向くように配置される。第２導光部５０７は、一端５０７ａ側に形成される複数の第２入光部４００Ｂと、他端５０７ｂ側に形成される複数の第２出光部４１０Ｂとを有する。複数の第２入光部４００Ｂそれぞれは、複数の第２出光部４１０Ｂそれぞれと対応する。複数の第２入光部４００Ｂそれぞれから入光された光は、それぞれ別々の光束として対応する複数の第２導光部５０７それぞれに導光されて、対応する複数の第２出光部４１０Ｂそれぞれから出光される。
【０１００】
第２導光部５０７は、第２導光部５０７の内部に形成され、第２入光部４００Ｂに入光された光の不要な拡散を抑制して第２出光部４１０Ｂから出光させるための反射面を有する。
【０１０１】
複数の第２入光部４００Ｂそれぞれは、複数の第２ＬＥＤ５０２それぞれに対向して配置される。第２入光部４００Ｂには、第２ＬＥＤ５０２からの光が第２導光部５０７の内部に向けて入光される。
【０１０２】
第２出光部４１０Ｂは、反射部材としての反射ミラー５４１に対向して配置される。第２入光部４００Ｂから入光された光は、第２出光部４１０Ｂから出光されて、反射ミラー５４１により原稿Ｇに向かうよう反射される。反射ミラー５４１により反射された光Ｈ０２は、第１導光部５０６の第１出光部４１０Ａから出光された光Ｈ０１とは異なる副走査方向Ｘにおける他方側から原稿Ｇに照射される。ここで、副走査方向Ｘにおける他方側とは、副走査方向Ｘにおいて光束Ｈ１を中心として導光体５０５と反対側である（図４参照）。
【０１０３】
このように、導光体５０５は、第１入光部４００Ａから入光された光を第１出光部４１０Ａから出光すると共に、第２入光部４００Ｂから入光された光を第２出光部４１０Ｂから出光して、第１ＬＥＤ５０１及び第２ＬＥＤ５０２からの光を原稿Ｇへ導くように構成される。
【０１０４】
図４に示すように、反射部材としての反射ミラー５４１は、取り付け部材５１０におけるミラー保持部５１１に取り付けられる。反射ミラー５４１は、反射面を第２出光部４１０Ｂ及び原稿Ｇ側に向くように配置される。反射ミラー５４１は、副走査方向Ｘにおいて光束Ｈ１を中心として導光体５０５と反対側に配置される。反射ミラー５４１は、第２出光部４１０Ｂから出光した光を原稿Ｇ側に向かうように反射する。
【０１０５】
前述の通り、複数の第１出光部４１０Ａから出光した光Ｈ０１は、副走査方向Ｘにおける一方側から原稿Ｇに照射される。また、複数の第２出光部４１０Ｂから出光した光は、反射ミラー５４１に反射されて副走査方向Ｘにおける他方側から原稿Ｇに照射される。原稿Ｇには、副走査方向Ｘにおける一方側から光Ｈ０１が照射されると共に、副走査方向Ｘにおける他方側から光Ｈ０２が照射される。
【０１０６】
図４に示すように、取り付け部材５１０は、第１枠体３１１における上方（図４において上方）に配置される。取り付け部材５１０には、ＬＥＤユニット５０３と、導光体５０５と、反射ミラー５４１とが取り付けられる。複数の第１ＬＥＤ５０１及び複数の第２ＬＥＤ５０２は、ＬＥＤユニット５０３を介して取り付け部材５１０に取り付けられる。
【０１０７】
続けて、図９により、第１ＬＥＤ５０１及び第２ＬＥＤ５０２における発光の制御について説明する。
図９に示すように、画像読取装置３００は、複数の第１ＬＥＤ５０１と、複数の第２ＬＥＤ５０２とにおける発光を別々に制御する発光制御部４５０を有する。
発光制御部４５０は、複数の第１ＬＥＤ５０１又は複数の第２ＬＥＤ５０２の一方を発光させ、他方を発光させないようにすることができる。発光制御部４５０は、複数の第１ＬＥＤ５０１及び複数の第２ＬＥＤ５０２を発光させ、又は発光させないようにすることができる。
また、発光制御部４５０は、複数の第１ＬＥＤ５０１及び複数の第２ＬＥＤ５０２それぞれにおける光量を制御することができる。ここで、光量の制御は、複数の第１ＬＥＤ５０１及び複数の第２ＬＥＤ５０２それぞれに供給する電圧等を調整することで行うことができる。
【０１０８】
発光制御部４５０による発光制御として、例えば、副走査方向Ｘにおける一方側及び他方側から原稿Ｇに照射される光量を調整する場合、発光制御部４５０は、原稿Ｇの厚さに応じてそれぞれにおける光量を調整することができる。これにより、読み取り画像におけるエッジ影の発生を好適に抑制できる。
また、ＬＥＤユニット５０３を原稿Ｇの存在や位置を検知するセンサとして利用する場合、発光制御部４５０は、複数の第１ＬＥＤ５０１又は複数の第２ＬＥＤ５０２を少ない光量で短時間だけ発光させることもできる。
【０１０９】
続けて、本実施形態の画像読取装置３００における作用について説明する。
まず、蓋部材７０（図１参照）を開状態にすると共に、読取面３０２Ａ（図３参照）に原稿Ｇを載置する。光学センサ３６２（図３参照）により読取面３０２Ａに原稿が載置されたことが検知されることで、照明ユニット３４７及びミラーユニット３４９（図３参照）は、内部空間３０４の側面３０６ａ側（図３参照）に配置される。
【０１１０】
次いで、蓋部材７０を閉状態にする。そして、不図示のスタートスイッチを押すことで、コピー機１に対して、原稿Ｇの画像を複製することを指示する。スタートスイッチが押されることで、画像読取装置３００による原稿Ｇの画像を読み取り動作が開始される。
【０１１１】
具体的には、まず、複数の第１ＬＥＤ５０１及び複数の第２ＬＥＤ５０２（図３及び図４参照）が点灯される。点灯された複数のＬＥＤ５０１及び複数の第２ＬＥＤ５０２からの光それぞれは、複数の第１入光部４００Ａ及び複数の第２入光部４００Ｂそれぞれから複数の第１導光部５０６及び複数の第２導光部５０７それぞれの内部に入光される。
【０１１２】
複数の第１導光部５０６それぞれに入光された光は、内部の反射面に反射されて拡散が抑制されながら複数の第１出光部４１０Ａそれぞれから出光される。複数の第１出光部４１０Ａそれぞれから出光された光Ｈ０１は、主走査方向Ｙに拡散されながら原稿Ｇに直接照射される。
【０１１３】
また、複数の第２導光部５０７それぞれに入光された光は、内部の反射面に反射されて拡散が抑制されながら複数の第２出光部４１０Ｂそれぞれから出光される。複数の第２出光部４１０Ｂそれぞれから出光された光は、反射ミラー５４１に反射されて原稿Ｇ側へ向かい、原稿Ｇに間接的に照射される。ここで、発光制御部４５０は、原稿Ｇの厚さに対して光量を調整することにより、読み取り画像におけるエッジ影の発生を抑制できる。
【０１１４】
原稿Ｇは、垂直方向下側であって副走査方向Ｘにおける一方側（導光体５０５側）から第１出光部４１０Ａから出光した光Ｈ０１が照射されると共に、垂直方向下側であって副走査方向Ｘにおける他方側（導光体５０５と反対側）から第２出光部４１０Ｂから出光した光Ｈ０２が照射される。原稿Ｇには、主走査方向Ｙに延びるような態様のライン状の光が照射される（図４参照）。
【０１１５】
原稿Ｇへの光の照射がされた状態で、照明ユニット３４７及びミラーユニット３４９それぞれは、副走査方向Ｘに移動される。照明ユニット３４７及びミラーユニット３４９それぞれは、光路Ｈにおける光路長を一定に保持しながら移動する（図３参照）。
【０１１６】
原稿Ｇからの光束は、第１ミラー３２１、第２ミラー３２２及び第３ミラー３２３に反射された後、結像レンズ３５７に入射される（図３参照）。
【０１１７】
結像レンズ３５７は、原稿Ｇの画像を結像させる。結像位置に配置されたＣＣＤ３５８は、ガイド部材３６０の開口窓３６０ａを通過して該ＣＣＤ３５８上に結像された画像に基づいて、原稿Ｇの画像を画像情報として読み込む（図３参照）。
【０１１８】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【０１１９】
装置本体Ｍにおいて、入力された画像情報は、不図示の画像形成制御部に入力される。画像形成制御部は、画像情報に基づいて、画像形成部を構成する像担持体としての感光体ドラム２ａから２ｄ、帯電部１０ａから１０ｄ、レーザスキャナユニット４ａから４ｄや現像器１６ａから１６ｄ等を制御する。感光体ドラム２には、画像情報に基づいて、所定のトナー画像が形成される（図１参照）。
【０１２０】
搬送路Ｌを介して感光体ドラム２により形成される１次転写ニップＮ１ａ、Ｎ１ｂ、Ｎ１ｃ、Ｎ１ｄに搬送された用紙Ｔには、画像情報に基づいて原稿Ｇの画像と同じ画像が転写される。画像が形成された用紙Ｔは、第１排紙部５０ａ及び第２排紙部５０ｂから装置本体Ｍの外部に排紙される（図１参照）。
【０１２１】
本実施形態によれば、導光体５０５は、第１入光部４００Ａから入光される第１ＬＥＤ５０１からの光を第１出光部４１０Ａへ出光すると共に、第２入光部４００Ｂから入光される第２ＬＥＤ５０２からの光を第２出光部４１０Ｂへ出光することにより、副走査方向Ｘにおける一方側と他方側の双方から原稿Ｇに光を照射するように構成される。従って、画像読取装置３００は、読み取られた画像にエッジ影が発生することを抑制することができる。特に、複数の第１ＬＥＤ５０１及び複数の第２ＬＥＤ５０２が主走査方向Ｙに１列に配列される場合には、導光体５０５の一部及びＬＥＤユニット５０３における厚さ方向Ｚの寸法を抑制できると共に、読み取られた画像にエッジ影が発生することを抑制することができる。
【０１２２】
また、本実施形態によれば、導光体５０５は、第１導光部５０６と第２導光部５０７は、それぞれ別体で構成され、第１入光部４００Ａから入光される光が第１出光部４１０Ａから出光されると共に、第２入光部４００Ｂから入光される光が第２出光部４１０Ｂから出光されるように構成される。そのため、第１導光部５０６と第２導光部５０７とにより導かれる光のそれぞれは、干渉し合うことなく、副走査方向Ｘにおける一方側と他方側のそれぞれから原稿Ｇに光を照射する。従って、画像読取装置３００は、読み取られた画像にエッジ影が発生することを抑制することができる。
【０１２３】
また、本実施形態によれば、導光体５０５は、第１導光部５０６と第２導光部５０７により構成されるので、不要な光の拡散を抑制して光を原稿Ｇに導くことができる。
【０１２４】
また、本実施形態によれば、発光制御部４５０により、複数の第１ＬＥＤ５０１と複数の第２ＬＥＤ５０２とにおける発光を別々に制御することができるので、原稿Ｇの読み込み態様等に応じて、複数の第１ＬＥＤ５０１及び複数の第２ＬＥＤ５０２それぞれを必要な強度で発光させることができる。特に、本実施形態においては、第１入光部４００Ａに入光される第１ＬＥＤ５０１及び発光と第２入光部４００Ｂに入光される第２ＬＥＤ５０２それぞれにおける光量を原稿Ｇの厚さに応じて調整することで、副走査方向Ｘにおける一方側と他方側に照射される光量を高精度に調整することができる。そのため、読み取られた画像にエッジ影が発生することを好適に抑制することができる。
【０１２５】
また、本実施形態によれば、発光制御部４５０は、第１ＬＥＤ５０１及び第２ＬＥＤ５０２への供給電圧を変更させることにより発光量の制御を行うことができるので、供給電圧の調整により、発光をより簡易に制御することができる。従って、読み取られた画像にエッジ影が発生することを簡易に抑制することができる。
【０１２６】
続けて、図１０から図１２Ｃにより、第２実施形態におけるコピー機について説明する。図１０は、第２実施形態における導光体６０５を説明する部分拡大図である。図１１は、図１０に示す導光体６０５を読取面３０２Ａ側から見た図である。図１２Ａは、図１１に示す導光体６０５におけるＡ２−Ａ２線断面図である。図１２Ｂは、図１１に示す導光体６０５におけるＢ２−Ｂ２線断面図である。図１２Ｃは、図１１に示す導光体６０５におけるＣ２−Ｃ２線断面図である。第２実施形態におけるコピー機は、導光体６０５が一体的に形成されている点、隣り合う第１導光部５０６と第２導光部５０７とが主走査方向Ｙに離間して配置される点を除いて第１実施形態におけるコピー機と同様の構成を有する。導光体６０５を中心に説明し、他の構成要素の説明は省略する。
【０１２７】
図１０から図１２Ｃに示すように、導光体６０５は、一体的に形成される。導光体６０５は、第２出光部４１０Ｂの近傍の部分において、主走査方向Ｙに長く一体的に形成される一体成型部６２０を有する。
【０１２８】
図１１に示すように、導光体６０５は、複数の第１導光部５０６及び複数の第２導光部５０７を有する。複数の第１導光部５０６及び複数の第２導光部５０７それぞれは、一体成型部６２０が延びる主走査方向Ｙに対して直交する方向に延びるように配置される。第１導光部５０６、第２導光部５０７それぞれは、一体成型部６２０の一部を含み副走査方向Ｘに長い形状で形成される。複数の第１導光部５０６と複数の第２導光部５０７それぞれは、主走査方向Ｙに交互に平行に並んで配置される。
【０１２９】
図１０から図１２Ｃに示すように、第１導光部５０６における一体成型部６２０は、第１導光部５０６の第１出光部４１０側の屈曲部４１５の近傍の部分を形成する。第２導光部５０７における一体成型部６２０は、第２導光部５０７の第２出光部４１０Ｂの近傍の部分を形成する。
【０１３０】
図１１に示すように、導光体６０５は、第１入光部４００Ａ及び第２入光部４００Ｂの部分において、隣り合う第１導光部５０６と第２導光部５０７とが主走査方向Ｙに離間して配置されるように構成される。本実施形態においては、隣り合う第１導光部５０６と第２導光部５０７とは、第１入光部４００Ａ及び第２入光部４００Ｂに対応する部分から一体成型部６２０までの間において主走査方向Ｙに離間して配置される。
【０１３１】
本実施形態によれば、第１実施形態における効果と同様の効果を得ることができると共に、以下の効果を得ることができる。
本実施形態によれば、導光体６０５は、主走査方向Ｙに一体的に形成されるので、一体成型により導光体６０５を製造することができる。従って、製造コストを削減することができる。また、導光体６０５が一体であるので、取り扱いが容易である。
【０１３２】
また、本実施形態においては、導光体６０５は、第２出光部４１０Ｂの近傍の部分において、主走査方向Ｙに一体的に形成される構成としているが、第１出光部４１０Ａの近傍の部分において一体的に形成される構成であってもよい。この場合においても、本実施形態と同様の効果を得ることができる。すなわち、導光体６０５を一体成型により製造することができるので、製造コストを削減することができる。
【０１３３】
続けて、図１３から図１５Ｃにより、第３実施形態におけるコピー機について説明する。図１３は、第３実施形態における導光体７０５を説明する部分拡大図である。図１４は、図１３に示す導光体７０５を読取面３０２Ａ側から見た図である。図１５Ａは、図１４に示す導光体７０５におけるＡ３−Ａ３線断面図である。図１５Ｂは、図１４に示す導光体７０５におけるＢ３−Ｂ３線断面図である。図１５Ｃは、図１４に示す導光体７０５におけるＣ３−Ｃ３線断面図である。第３実施形態におけるコピー機は、第１出光部が一体的に形成されると共に第２出光部が一体的に形成される点を除いて第２実施形態におけるコピー機と同様の構成を有する。従って、第３実施形態については、導光体７０５を中心に説明し、他の構成要素の説明は省略する。
【０１３４】
図１３から図１５Ｃに示すように、導光体７０５は、一体的に形成される。導光体７０５は、主走査方向Ｙに長く一体的に形成される第１出光体７１０Ａと、主走査方向Ｙに長く一体的に形成される第２出光体７１０Ｂと、主走査方向Ｙに長く一体的に形成される一体成型部７２０とを有する。
【０１３５】
第１出光体７１０Ａは、主走査方向Ｙに長い出光面としての同一面が形成される第１出光部４１０Ａを有する。第２出光体７１０Ｂは、主走査方向Ｙに長い同一面が形成される第２出光部４１０Ｂを有する。
【０１３６】
図１４に示すように、導光体７０５は、複数の第１導光部５０６及び複数の第２導光部５０７を有する。第１導光部５０６及び複数の第２導光部５０７は、第１出光体７１０Ａ、第２出光体７１０Ｂ及び一体成型部７２０が延びる主走査方向Ｙに対して直交する方向に延びるように配置される。第１導光部５０６、第２導光部５０７それぞれは、第１出光体７１０Ａ、第２出光体７１０Ｂ及び一体成型部７２０の一部を含み副走査方向Ｘに長く形成される。複数の第１導光部５０６と複数の第２導光部５０７は、主走査方向Ｙに交互に平行に配置される。
【０１３７】
図１３から図１５Ｃに示すように、第１出光体７１０Ａは、第１導光部５０６の他端５０６ｂの部分を形成する。第２出光体７１０Ｂは、第２導光部５０７の他端５０７ｂの部分を形成する。第１導光部５０６における一体成型部７２０は、第１導光部５０６の屈曲部４１５の近傍の部分を形成する。第２導光部５０７における一体成型部７２０は、第２導光部５０７の第２出光部４１０Ｂの近傍の部分を形成する。
【０１３８】
複数の第１入光部４００Ａそれぞれから入光された光は、それぞれ別々の光束として第１導光部５０６それぞれに導かれる。複数の第１導光部５０６それぞれに導かれた光は、第１出光体７１０Ａにおいて主走査方向Ｙに拡散されながら第１出光部４１０Ａの出光面から出光される。
【０１３９】
複数の第２入光部４００Ｂそれぞれから入光された光は、それぞれ別々の光束として第２導光部５０７それぞれに導かれる。複数の第２導光部５０７それぞれに導かれた光は、第２出光体７１０Ｂにおいて主走査方向Ｙに拡散されながら第２出光部４１０Ｂの出光面から出光される。
【０１４０】
本実施形態によれば、第２実施形態における効果と同様の効果を得ることができると共に、以下の効果を得ることができる。
本実施形態によれば、導光体７０５は、第１出光部４１０Ａにおいて主走査方向Ｙに同一面が形成されるように一体的に構成されると共に、第２出光部４１０Ｂにおいて主走査方向Ｙに同一面が形成されるように一体的に構成されている。そのため、導光体７０５の構造における強度を向上させることができる。
【０１４１】
また、本実施形態によれば、導光体７０５は、第１出光部４１０Ａにおいて主走査方向Ｙに同一面が形成されるように一体的に構成されると共に、第２出光部４１０Ｂの部分において主走査方向Ｙに同一面が形成されるように一体的に構成される。そのため、第１出光部４１０Ａにおいて主走査方向Ｙに拡散されながら導かれた光が、第１出光部４１０Ａから出光される。また、第２出光部４１０Ｂにおいて主走査方向Ｙに拡散されながら導かれた光が、第２出光部４１０Ｂから出光される。従って、第１出光部４１０Ａ及び第２出光部４１０Ｂを光の拡散領域として利用できる。特に、本実施形態においては、第１出光部４１０Ａを拡散領域として利用できるので、導光体７０５をコンタクトガラス３３５に対して近接して配置できる。そのため、照明ユニット３４７における厚さ方向Ｚの省スペース化を実現できる。
【０１４２】
以上、好適な実施形態として説明したが、本発明は上述した実施形態に限定されることなく種々の形態で実施することができる。例えば、本実施形態において、画像形成装置としてコピー機１について説明しているが、コピー機には、カラーコピー機、モノクロコピー機が含まれる。また、画像形成装置は、これに限定されず、プリンタ、ファクシミリ及びこれらの複合機等であってもよい。
【０１４３】
また、実施形態においては、第１導光部５０６と第２導光部５０７とが交互に配置されているが、これに限定されず、例えば、第１導光部５０６及び／又は第２導光部５０７が２個以上連続して配置されるような構成であってもよい。
【０１４４】
また、実施形態においては、第１ＬＥＤ５０１と第２ＬＥＤ５０２とが主走査方向Ｙに一直線上に１列に配置されているが、これに限定されず、例えば、第１ＬＥＤ５０１と第２ＬＥＤ５０２が２列以上の構成であったり、１列及び２列等が組み合わさった構成であってもよい。
【０１４５】
また、実施形態においては、導光体５０５は、副走査方向Ｘにおける一方側と他方側から原稿Ｇに光を照射するように構成され、副走査方向Ｘにおける一方側を導光体５０５側、他方側を導光体５０５と反対側である場合を説明しているが、副走査方向Ｘにおける一方側と他方側が逆となる構成であってもよい。
【０１４６】
また、実施形態において、画像読取装置３００は、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【０１４７】
また、実施形態において、画像読取装置３００は、画像形成装置としてのコピー機１の一部を構成しているが、これに限定されず、例えば、イメージスキャナ等の単体として用いられる装置であってもよい。
【０１４８】
また、実施形態において、発光部としてＬＥＤ５０１について説明しているが、これに限定されない。例えば、発光部として、有機ＥＬ（Ｏｒｇａｎｉｃ  Ｅｌｅｃｔｒｏ−Ｌｕｍｉｎｅｓｃｅｎｃｅ）、光ファイバーを利用したものや各種ランプを用いることができる。
【符号の説明】
【０１４９】
１……コピー機（画像形成装置）、２ａ、２ｂ、２ｃ、２ｄ……感光体ドラム（像担持体）、１６……現像器、３００……画像読取装置、３２１……第１ミラー（ミラー）、３２２……第２ミラー（ミラー）、３２３……第３ミラー（ミラー）、３４０……照明部、３５７……結像レンズ、３５８……ＣＣＤ（読取手段）、４００Ａ……第１入光部、４００Ｂ……第２入光部、４１０Ａ……第１出光部、４１０Ｂ……第２出光部、５０１……第１ＬＥＤ（発光部）、５０２……第２ＬＥＤ（発光部）、５０５、６０５、７０５……導光体、５０６……第１導光部、５０７……第２導光部、６０５、７０５……導光体、Ｇ……原稿、Ｈ……光路、Ｎ１ａ、Ｎ１ｂ、Ｎ１ｃ、Ｎ１ｄ……１次転写ニップ（転写部）、Ｘ……副走査方向、Ｙ……主走査方向
【図１】
2010199639.tif 000003
【図２】
2010199639.tif 000004
【図３】
2010199639.tif 000005
【図４】
2010199639.tif 000006
【図５】
2010199639.tif 000007
【図６】
2010199639.tif 000008
【図７】
2010199639.tif 000009
【図８Ａ】
2010199639.tif 000010
【図８Ｂ】
2010199639.tif 000011
【図９】
2010199639.tif 000012
【図１０】
2010199639.tif 000013
【図１１】
2010199639.tif 000014
【図１２Ａ】
2010199639.tif 000015
【図１２Ｂ】
2010199639.tif 000016
【図１２Ｃ】
2010199639.tif 000017
【図１３】
2010199639.tif 000018
【図１４】
2010199639.tif 000019
【図１５Ａ】
2010199639.tif 000020
【図１５Ｂ】
2010199639.tif 000021
【図１５Ｃ】
2010199639.tif 000022